(57)【特許請求の範囲】
【請求項１】
角膜矯正療法用の処方コンタクトレンズを選定する装置において、
試用コンタクトレンズの形状と試用コンタクトレンズ装用時におけるフルオレセインパターンの状態を入力する入力装置と、
前記入力装置で入力された試用コンタクトレンズの形状を記憶する記憶装置と、
前記入力装置で入力されたフルオレセインパターンが瞳孔の同心円上から上瞼側にずれている場合に、試用コンタクトレンズよりもアライメントカーブがきついコンタクトレンズを処方コンタクトレンズとして選定し、
フルオレセインパターンが瞳孔の同心円上から下瞼側にずれている場合に、試用コンタクトレンズよりもアライメントカーブが緩いコンタクトレンズを処方コンタクトレンズとして選定する選定装置と、
前記選定装置で選定された処方コンタクトレンズの形状を出力する出力装置とを備えたことを特徴とする角膜矯正療法用処方コンタクトレンズ選定装置。
【請求項２】
前記選定装置が、前記フルオレセインパターンが瞳孔の同心円上にある場合であっても、アライメントカーブパターン幅がリバースカーブパターン幅よりも狭い場合には、試用コンタクトレンズよりもアライメントカーブが緩いコンタクトレンズを処方コンタクトレンズとして選定することを特徴とする請求項１に記載の角膜矯正療法用処方コンタクトレンズ選定装置。
【請求項３】
前記選定装置が、処方コンタクトレンズを睡眠時に装用しない場合に、請求項１または請求項２に記載の角膜矯正療法用処方コンタクトレンズ選定装置よって選定された処方コンタクトレンズよりもアライメントカーブが緩いコンタクトレンズを処方コンタクトレンズとして選定することを特徴とする請求項１または請求項２に記載の角膜矯正療法用処方コンタクトレンズ選定装置。
【発明の詳細な説明】
【技術分野】
【０００１】  この発明は、角膜矯正療法用の処方コンタクトレンズを選定する装置に関し、特に試用コンタクトレンズの装用結果に基づいて、最適なフィッティングをもたらす処方コンタクトレンズを選定することができる角膜矯正療法用処方コンタクトレンズの選定装置に関する。
【背景技術】
【０００２】  近年、近視を矯正する治療法として、角膜矯正療法（オルソケラトロジーともいう）が着目されている。角膜矯正療法とは、酸素透過性の高い特殊な形状のハードコンタクトレンズを唾眠時に装用して角膜をコンタクトレンズの形状に沿って変形させ、角膜がコンタクトレンズを外しても一定時間変形した状態を保つことを利用して屈折異常を矯正するものである。【０００３】  角膜矯正療法用のコンタクトレンズを選定する方法としては、試用コンタクトレンズの装用結果、具体的にはフルオレセイン染色によってフィッティングを評価し、フィッティングが良くなければ近似値パラメーターのコンタクトレンズを選定し、フィッティング評価を繰り返して最適な試用コンタクトレンズを確定する方法が提案されている（例えば、特許文献１参照）。
【特許文献１】特開２００７−２５５号公報（特許請求の範囲  請求項１、段落０００９，００１４、図２）
【発明の開示】
【発明が解決しようとする課題】
【０００４】  しかしながら、前記コンタクトレンズ選定方法では、コンタクトレンズの選定に際してフィッティングを評価するといった着想は評価できるものの、フィッティングが良くなければ近似値パラメーターのコンタクトレンズを選定してフィッティング評価を繰り返さなければならないために、最適なコンタクトレンズを確定するまでには何度も試用コンタクトレンズを装用しなければならない場合もあり、コンタクトレンズの選定が煩雑である。【０００５】  そこで、この発明では、前記した課題を解決し、試用コンタクトレンズの装用結果からフィッティングを向上させることができるコンタクトレンズ形状の傾向を見いだし、試行錯誤をすることなく一義的に最適なフィッティングをもたらす処方コンタクトレンズを選定することができる角膜矯正療法用処方コンタクトレンズの選定装置を提供することを目的とする。
【課題を解決するための手段】
【０００６】  前記課題を解決するため、請求項１に係る発明では、角膜矯正療法用処方コンタクトレンズ選定装置を、試用コンタクトレンズの形状と試用コンタクトレンズ装用時におけるフルオレセインパターンの状態を入力する入力装置と、この入力装置で入力された試用コンタクトレンズの形状を記憶する記憶装置と、入力装置で入力されたフルオレセインパターンが瞳孔の同心円上から上瞼側にずれている場合に、試用コンタクトレンズよりもアライメントカーブがきついコンタクトレンズを処方コンタクトレンズとして選定し、フルオレセインパターンが瞳孔の同心円上から下瞼側にずれている場合に、試用コンタクトレンズよりもアライメントカーブが緩いコンタクトレンズを処方コンタクトレンズとして選定する選定装置と、この選定装置で選定された処方コンタクトレンズの形状を出力する出力装置とを備えるように構成した。【０００７】  請求項２に係る発明では、選定装置を、フルオレセインパターンが瞳孔の同心円上にある場合であっても、アライメントカーブパターン幅がリバースカーブパターン幅よりも狭い場合には、試用コンタクトレンズよりもアライメントカーブが緩いコンタクトレンズを処方コンタクトレンズとして選定するようにした。【０００８】  請求項３に係る発明では、選定装置を、処方コンタクトレンズを睡眠時に装用しない場合に、角膜矯正療法用処方コンタクトレンズ選定装置よって選定された処方コンタクトレンズよりもアライメントカーブが緩いコンタクトレンズを処方コンタクトレンズとして選定するようにした。
【発明の効果】
【０００９】  請求項１に係る発明によれば、フルオレセインパターンが瞳孔の同心円上からずれている場合に、そのずれた方向に対応したフィッティングを向上させることができる形状のコンタクトレンズを処方コンタクトレンズとして選定するようにしたので、試行錯誤をすることなく一義的に最適なフィッティングをもたらす角膜矯正療法用処方コンタクトレンズを選定できる。【００１０】  請求項２に係る発明によれば、フルオレセインパターンが瞳孔の同心円上にある場合であっても、アライメントカーブパターン幅がリバースカーブパターン幅よりも狭い場合に対応したフィッティングを向上させることができる形状のコンタクトレンズを処方コンタクトレンズとして選定するようにしたので、試行錯誤をすることなく一義的により安定したフィッティングをもたらす角膜矯正療法用処方コンタクトレンズを選定できる。【００１１】  請求項３に係る発明によれば、処方コンタクトレンズを睡眠時に装用しない場合に対応した形状のコンタクトレンズを処方コンタクトレンズとして選定するようにしたので、一般的な睡眠時に装用する場合と異なり、覚醒時に装用して例えばスポーツをするときなど必要なときにコンタクトレンズを外すといった装用条件に合った角膜矯正療法用処方コンタクトレンズを選定できる。
【発明を実施するための最良の形態】
【００１２】  まず、この発明の創作の基礎となる事項について、図４と図５を参照して説明する。
図４の（ａ）は角膜矯正療法用コンタクトレンズの平面図であり、図４の（ｂ）は角膜矯正療法用コンタクトレンズの断面図である。また、図５は理想的なフルオレセインパターンを示したイメージ図である。【００１３】  図４の（ａ）と（ｂ）に示すように、角膜矯正療法用コンタクトレンズ１（以下、レンズともいう）は、丸みを帯びた円形のレンズであって、角膜と接するレンズ内面が同心円上の大きさが異なる４つのカーブ、具体的にはベースカーブ２と、リバースカーブ３と、アライメントカーブ４と、エッジカーブ５とで構成されている。そして発明者は、角膜矯正療法を行う際に一般的に行われる検査、例えば屈折検査、角膜曲率半径測定、角膜形状解析、矯正視力検査などの検査結果に基づいてレンズを選定したにもかかわらず所望する矯正効果が得られない原因が、フィッティングの不具合であることを見いだした。そして、フィッティングの良しあしが、フルオレセインパターンを確認することによって判断できることを見いだし、この発明を創作するに至ったものである。【００１４】  図５に示すように、良好なフィッティングのレンズを装用した状態の理想的なフルオレセインパターンでは、レンズパターン１’が瞳孔の同心円上に位置しており、瞬きによる動きが少なく瞳孔の同心円上に維持されている。そして発明者は、数多くの治験結果から、フルオレセインパターンが瞳孔の同心円上から上瞼側にずれている場合には装用しているレンズのフィッティングが緩く、アライメントカーブ４（図４の（ａ）と（ｂ）参照）がきついレンズを選定することでフィッティングが向上することを見いだした。さらに、フルオレセインパターンが瞳孔の同心円上から下瞼側にずれている場合には装用しているレンズのフィッティングがきつく、アライメントカーブ４が緩いレンズを選定することでフィッティングが向上することも見いだし、請求項１に係る発明を創作するに至ったものである。【００１５】  また、図５に示すように、理想的なフルオレセインパターンでは、図４の（ａ）と（ｂ）に示す４つカーブが角膜を圧迫する程度や圧迫の有無に応じて染色具合が変わるために輪状の模様が生じ、４つのカーブがベースカーブパターン２’と、リバースカーブパターン３’と、アライメントカーブパターン４’と、エッジカーブパターン５’として示される。そして発明者は、数多くの治験結果から、アライメントカーブパターン４’幅がリバースカーブパターン３’幅よりも狭い場合には、アライメントカーブ４が緩いレンズを選定することでフィッティングが安定することを見いだし、請求項２に係る発明を創作するに至ったものである。【００１６】  さらに発明者は、角膜矯正療法用コンタクトレンズを睡眠時に装用せず、覚醒時に装用して例えばスポーツをするときなど必要なときにレンズを外すといった装用を希望する患者がいることに着目し、数多くの治験結果から、覚醒時に装用する場合には睡眠時に装用する場合に合わせて選定されたレンズよりもアライメントカーブ４（図４の（ａ）と（ｂ）参照）が緩いレンズを選定することで、覚醒時の装用に求められるレンズの動きが確保できることから、覚醒時に装用して必要なときにレンズを外すといった装用条件に合うことを見いだ���、請求項３に係る発明を創作するに至ったものである。【００１７】  次に、この発明の実施形態について、適宜図面を参照しながら詳細に説明する。図１は、実施形態に係る角膜矯正療法用処方コンタクトレンズ選定装置のイメージ図である。図１に示すように、この実施形態に係る角膜矯正療法用処方コンタクトレンズの選定装置は、入力装置Ａと、記憶装置Ｂと、選定装置Ｃと、出力装置Ｄとによって構成されている。【００１８】  入力装置Ａは、試用レンズの形状と、試用レンズ装用時におけるフルオレセインパターンの状態を入力する装置である。なお、請求項３に係る入力装置Ａでは、これらの外にレンズの装用条件も入力する装置である。【００１９】  記憶装置Ｂは、入力装置Ａで入力された試用レンズの形状を記憶しており、ここでは各メーカーが製造している処方レンズの規格も記憶している。【００２０】  選定装置Ｃは、入力装置Ａで入力されたフルオレセインパターンの状態によって、フィッティングを向上させることができる形状のレンズを処方レンズとして選定する装置であり、ここでは記憶装置Ｂに記憶されている処方レンズの規格から最適なフィッティングをもたらす規格を処方レンズとして選定する装置である。なお、請求項３係る選定装置Ｃでは、入力装置Ａで入力されたレンズの装用条件によって、記憶装置Ｂに記憶されている処方レンズの規格から装用条件に合う最適なフィッティングをもたらす規格を処方レンズとして選定する装置である。【００２１】  出力装置Ｄは、選定装置Ｃで選定された処方レンズの形状を出力する装置であり、ここでは選定装置Ｃによって記憶装置Ｂに記憶されている処方レンズの規格から最適なフィッティングをもたらすとして選定された処方レンズの規格を出力する装置である。【００２２】  以上のように構成された角膜矯正療法用処方コンタクトレンズ選定装置において、選定装置Ｃでは、図２に示す行程によって最適なフィッティングをもたらす処方レンズの形状や規格が選定される。図２は、実施形態に係る選定装置Ｃで行われる行程を示したフローチャート図である。図２に示すように、選定装置Ｃでは、フルオレセインパターン状態情報取得工程Ｓ１と、処方レンズ規格選定工程Ｓ２が行われる。【００２３】  フルオレセインパターン状態情報取得工程Ｓ１は、入力装置Ａ（図１参照）から試用レンズ装用時におけるフルオレセインパターンの状態情報を取得する工程である。ここでは、フルオレセインパターンの状態情報とは、レンズパターン１’（図５参照）が瞳孔に対してどの位置にあるか、具体的には瞳孔の同心円上にある、瞳孔の同心円上から上瞼側にずれている、瞳孔の同心円上から下瞼側にずれているといった位置の情報と、レンズ１（図４の（ａ）と（ｂ）参照）を構成する４つのカーブのパターン幅、具体的にはリバースカーブパターン３’（図５参照）とアライメントカーブパターン４’（図５参照）の幅を対比した情報をいう。【００２４】  フルオレセインパターン状態情報取得工程Ｓ１では、フルオレセインパターンの状態情報を取得すると処方レンズ規格選定工程Ｓ２に進む。【００２５】  処方レンズ規格選定工程Ｓ２は、フルオレセインパターン状態情報取得工程Ｓ１で取得されたフルオレセインパター���の状態情報に基づいて、記憶装置Ｂに記憶されている試用レンズの形状と、各メーカーが製造している処方レンズの規格を参照しながらを最適なフィッティングをもたらす規格を処方レンズとして選定する工程である。【００２６】  処方レンズ規格選定工程Ｓ２では、レンズパターン１’の位置を識別する工程（Ｓ２ａ）において、レンズパターン１’が瞳孔の同心円上（以下、中心という）に位置している場合（Ｙｅｓ）には、パターンの幅を識別する工程（Ｓ２ｂ）に進む。一方、レンズパターン１’が中心にない場合（Ｎｏ）には、ずれた方向を識別する工程（Ｓ２ｃ）に進む。【００２７】  パターンの幅を識別する工程（Ｓ２ｂ）においてアライメントカーブパターン４’幅がリバースカーブパターン３’幅よりも狭くない場合（Ｎｏ）、言い換えればアライメントカーブパターン４’幅がリバースカーブパターン３’幅と同じ、またはリバースカーブパターン３’幅よりも広い場合には、試用レンズと同じ形状の規格を処方レンズとして選定し（Ｓ２ｄ）、選定装置Ｃで行う工程を終了する。一方、パターンの幅を識別する工程（Ｓ２ｂ）においてアライメントカーブパターン４’幅がリバースカーブパターン３’幅よりも狭い場合（Ｙｅｓ）には、試用レンズよりもアライメントカーブ４が緩い規格を処方レンズとして選定し（Ｓ２ｅ）、選定装置Ｃで行う工程を終了する。【００２８】  また、処方レンズ規格選定工程Ｓ２では、レンズパターン１’のずれた方向を識別する工程（Ｓ２ｃ）においてレンズパターン１’が瞳孔の同心円上から上瞼側にずれている場合（Ｙｅｓ）には、試用レンズよりもアライメントカーブ４がきつい規格を処方レンズとして選定し（Ｓ２ｆ）、選定装置Ｃで行う工程を終了する。一方、レンズパターン１’のずれた方向を識別する工程（Ｓ２ｃ）においてレンズパターン１’が瞳孔の同心円上から下瞼側にずれている場合（Ｎｏ）には、試用レンズよりもアライメントカーブ４が緩い規格を処方レンズとして選定し（Ｓ２ｇ）、選定装置Ｃで行う工程を終了する。【００２９】  請求項６に係る角膜矯正療法用処方コンタクトレンズ選定方法では、選定装置Ｃ（図１参照）において、図２に示す工程に引き続き、レンズ装用条件情報取得工程Ｓ１１と、処方レンズ規格選定工程Ｓ１２が行われる。図３は、他の実施形態に係る選定装置で行われる行程を示したフローチャート図である。【００３０】  レンズ装用条件情報取得工程Ｓ１１では、レンズの装用条件、具体的にはレンズを唾眠時に装用するのか、覚醒時に装用するのかといった装用条件情報を取得し、処方レンズ規格選定工程Ｓ１２に進む。【００３１】  処方レンズ規格選定工程Ｓ１２では、レンズの装用条件を識別する工程（Ｓ１２ａ）において、睡眠時にレンズを装用する場合（Ｙｅｓ）には、図２に示す工程によって選定されたレンズと同じ形状の規格を処方レンズとして選定し（Ｓ１２ｂ）、選定装置Ｃで行う工程を終了する。一方、覚醒時にレンズを装用する場合（Ｎｏ）には、図２に示す工程によって選定されたレンズよりもアライメントカーブ４（図４の（ａ）と（ｂ）参照）が緩い規格を処方レンズとして選定し（Ｓ１２ｃ）、選定装置Ｃで行う工程を終了する。【００３２】  この発明において、カ��ブをきつくするとは、コンタクトレンズのカーブが角膜のカーブに対して小さくなる方向に、すなわち角膜に対してきつくなる方向に変えることをいい、緩くするとはその逆をいう。また、カーブをきつくする程度については適宜調整することが好ましいが、角膜矯正療法を行う際に一般的に行われる検査の結果に基づいて試用レンズを選定していれば、処方レンズの規格表に準じて１単位きつくすればよい。【００３３】  アライメントカーブとは、その部分が角膜とほぼ平行に接することで、レンズの位置を安定させる役割を果たす部分をいい、その部分が大きさが異なる複数のカーブから構成されていてもよく、この場合にはアライメントゾーンと呼ばれることもある。
【図面の簡単な説明】
【００３４】
【図１】実施形態に係る角膜矯正療法用処方コンタクトレンズ選定装置のイメージ図である。
【図２】実施形態に係る選定装置で行われる行程を示したフローチャート図である。
【図３】他の実施形態に係る選定装置で行われる行程を示したフローチャート図である。
【図４】（ａ）は角膜矯正療法用コンタクトレンズの平面図であり、（ｂ）は角膜矯正療法用コンタクトレンズの断面図である。
【図５】理想的なフルオレセインパターンを示したイメージ図である。
【符号の説明】
【００３５】Ｓ１      フルオレセインパターン状態情報取得工程
Ｓ２      処方レンズ規格選定工程
Ｓ１１    レンズ装用条件情報取得工程
Ｓ１２    処方レンズ規格選定工程
【図１】
0004992051.tif 000002
【図２】
0004992051.tif 000003
【図３】
0004992051.tif 000004
【図４】
0004992051.tif 000005
【図５】
0004992051.tif 000006